(57)【要約】【課題】照明装置を点灯又は消灯した場合に、鮮明な短時間に被写体を確認できる正常な画像を得ることが可能な監視カメラ装置を提供する。【解決手段】カメラ１と照明装置２と操作器４とカメラ１及び照明装置２に接続された制御装置３を備え、制御装置３は、操作器４による照明装置２の点灯操作に連動して照明装置２の輝度レベルを所定レベル上げることで、カメラ１の撮像感度レベルを所定レベル下げるとともに、カメラ１の撮像感度レベルの変化を検知して照明装置２の輝度レベルをさらに所定レベル上げるように制御して、照明装置２の輝度レベルを徐々に上げ、カメラ１の撮像感度レベルを徐々に下げる。【選択図】図１
2008067156.tif 000002
【特許請求の範囲】
【請求項１】
カメラと照明装置と操作器と前記カメラ及び前記照明装置に接続された制御装置を備え、前記制御装置は、前記操作器による前記照明装置の点灯操作に連動して前記照明装置の輝度レベルを所定レベル上げることで、前記カメラの撮像感度レベルを所定レベル下げさせるとともに、前記カメラの撮像感度レベルの変化を検知して前記照明装置の輝度レベルをさらに所定レベル上げるように制御して、前記照明装置の輝度レベルを徐々に上げ、前記カメラの撮像感度レベルを徐々に下げることを特徴とする監視カメラ装置。
【発明の詳細な説明】
【技術分野】
【０００１】
本発明は、夜間等の暗部の監視を行う監視カメラ装置に関する。
【背景技術】
【０００２】
監視カメラ装置、例えば高感度カメラにて夜間等の暗部の監視を行っている場合、高感度カメラは、レンズの絞りを制御し、それに応じてゲインレベルを変え、撮像した映像を蓄積している。この時の蓄積はカメラのシャッタースピードを遅くし露光時間を長くすることでカメラ撮像感度をアップさせている。
【０００３】
高感度カメラで蓄積している映像から得られる画像をモニタに映出する。監視者は、モニタに表示される画像を見ることで、夜間等の暗部の監視を行っている。
【０００４】
このような状況下において、モニタに表示される画像をもっと鮮明な画像にしたいと感じた場合に、照明装置、例えばハロゲンランプを点灯して、カメラ撮像感度をさらにアップさせる。
【０００５】
このような高感度カメラは、文献公知発明に係るものではない。
【０００６】
なお、監視カメラの照明に関する文献としては、例えば特許文献１などが挙げられる。
【０００７】
【特許文献１】特開２００５−９４０８０号公報
【発明の開示】
【発明が解決しようとする課題】
【０００８】
しかしながら、照明装置を点灯した場合、高感度カメラの周囲が、急激に、明るくなるため、高感度カメラから得られる画像は一度ハレーションを起こし、被写体を確認できなくなる場合がある。その場合は、蓄積レベルが下がり、正常な画像が得られ被写体の確認が可能になるまでしばらく待つ必要があった。
【０００９】
また、照明装置を点灯して監視している状況から、照明装置を消灯させた場合には、高感度カメラの蓄積感度が上がって、必要な感度が得られ被写体の確認が可能になるまで、暗い画像のまましばらく待機する必要があった。
【００１０】
本発明の目的は、照明装置を点灯又は消灯した場合に、鮮明な短時間に被写体を確認できる正常な画像を得ることが可能な監視カメラ装置を提供することにある。
【課題を解決するための手段】
【００１１】
本発明は、カメラと照明装置と操作器と前記カメラ及び前記照明装置に接続された制御装置を備え、前記制御装置は、前記操作器による前記照明装置の点灯操作に連動して前記照明装置の輝度レベルを所定レベル上げることで、前記カメラの撮像感度レベルを所定レベル下げさせるとともに、前記カメラの撮像感度レベルの変化を検知して前記照明装置の輝度レベルをさらに所定レベル上げるように制御して、前記照明装置の輝度レベルを徐々に上げ、前記カメラの撮像感度レベルを徐々に下げることを特徴とする。
【００１２】
また本発明は、カメラと照明装置と操作器と前記カメラ及び前記照明装置に接続された制御装置を備え、前記制御装置は、前記操作器による前記照明装置の消灯操作に連動して前記照明装置の輝度レベルを所定レベル下げることで、前記カメラの撮像感度レベルを所定レベル上げさせるとともに、前記カメラの撮像感度レベルの変化を検知して前記照明装置の輝度レベルをさらに所定レベル下げるように制御して、前記照明装置の輝度レベルを徐々に下げ、前記カメラの撮像感度レベルを徐々に上げることを特徴とする。
【００１３】
また本発明は、カメラと照明装置と操作器と前記カメラ及び前記照明装置に接続された制御装置を備え、前記制御装置は、前記操作器による前記照明装置の点灯又は消灯操作に連動して前記照明装置の輝度レベルを所定レベル上げ又は下げることで、前記カメラの撮像感度レベルを所定レベル下げ又は上げさせるとともに、前記カメラの撮像感度レベルの変化を検知して前記照明装置の輝度レベルをさらに所定レベル上げ又は下げるように制御して、前記照明装置の輝度レベルを徐々に上げ又は下げ、前記カメラの撮像感度レベルを徐々に下げ又は上げることを特徴とする。
【発明の効果】
【００１４】
本発明によれば、照明装置を点灯又は消灯した場合に、鮮明な短時間に被写体を確認できる正常な画像を得ることが可能な監視カメラ装置を得ることができる。
【発明を実施するための最良の形態】
【００１５】
本発明に係る実施の形態について、図１，図２を用いて説明する。
【００１６】
図１は、本発明に係る監視カメラ装置の実施の形態の構成図である。図２は、図１における制御装置による照明装置への供給電圧と照明装置の輝度レベルとの関係の一例を示す図である。横軸は供給電圧、縦軸は供給電圧に対応して照明装置が出力する照明光の輝度レベルで、最大出力輝度レベルを１００％としている。
【００１７】
図１において、１はカメラ、２は照明装置、３は制御装置で、カメラ１及び照明装置２に接続される。４は操作器で、制御装置３を制御する。５はモニタであり、カメラ１に接続される。カメラ１は、例えば高感度カメラである。
【００１８】
夜間等の暗部の監視を行うため、カメラ１のカメラ撮像感度をアップさせた状態で、カメラ１で撮像した映像から得られる画像をモニタ５に出力する。
【００１９】
監視者は、モニタ５に表示される画像をもっと鮮明な画像にしたいと感じた場合に、操作器４で、照明装置２を点灯操作する。
【００２０】
照明装置２を点灯操作した場合、制御装置３は、照明装置２に所定の小レベル例えば図２に図示の２０Ｖを供給して、照明装置２の輝度レベルを所定の小レベル例えば図２に図示のように２０％のレベルに上げて少し明るくする。これによって、明るくなった光で照明された被写体像がカメラ１によって撮像される。
【００２１】
すると、カメラ１は、撮像した画像に基づいてゲインレベルが適切となるように撮像感度レベルを下げ、撮像感度レベル情報（例えば、撮像感度レベルを下げたとの情報）として制御装置３に出力する。制御装置３は、入力された撮像感度レベル情報から撮像感度レベルが下がったことを検知し、照明装置２に、所定の小レベル例えば図２に図示のように２０Ｖをさらに加算した４０Ｖを供給して、照明装置２の輝度レベルをさらに所定のレベル例えば図２に図示のように２０％レベルアップした４０％のレベルに上げてさらに明るくする。
【００２２】
このような動作を繰り返し、制御装置３は、照明装置２に、４０Ｖの次の６０Ｖ、次に８０Ｖ、次に最大の１００Ｖを供給して、照明装置２の輝度レベルを、４０％の次に６０％、次に８０％、次に最大の１００％のレベルまで徐々に上げる。
【００２３】
このように、照明装置２を点灯した場合に、照明装置２の輝度レベルを徐々に上げることで、この動作に連動してカメラ１の撮像感度レベルを徐々に下げるので、ハレーションを起こさず鮮明な画像を得ることができる。
【００２４】
照明装置２を点灯させてカメラ１で撮像している場合に、操作器４で、照明装置２を消灯操作すると、下記の動作をする。
【００２５】
照明装置２を消灯操作した場合、制御装置３は、照明装置２に、１００Ｖから所定の小レベル例えば図２でいうと２０Ｖ減算した８０Ｖを供給して、照明装置２の輝度レベルを、１００％のレベルから所定の小レベル例えば図２でいうと２０％レベルダウンした８０％のレベルに下げて少し暗くする。これによって、暗くなった光で照明された被写体像がカメラ１によって撮像される。
【００２６】
すると、カメラ１は、撮像した画像に基づいてゲインレベルが適切となるように撮像感度レベルを上げ、撮像感度レベル情報（例えば、撮像感度レベルを上げたとの情報）として制御装置３に出力する。制御装置３は、入力された撮像感度レベル情報から撮像感度レベルが上がったことを検知し、照明装置２に、所定の小レベル例えば図２に図示のように２０Ｖさらに減算した６０Ｖを供給して、照明装置２の輝度レベルをさらに所定のレベル例えば図２に図示のように２０％レベルダウンした６０％のレベルに下げてさらに暗くする。
【００２７】
このような動作を繰り返し、制御装置３は、照明装置２に、６０Ｖの次の４０Ｖ、次に２０Ｖ、次に最小の０Ｖを供給して、照明装置２の輝度レベルを、６０％の次に４０％、次に２０％、次に最小の０％のレベルすなわち消灯まで徐々に下げる。
【００２８】
このように、照明装置２を消灯した場合に、照明装置２の輝度レベルを徐々に下げることで、この動作に連動してカメラ１の撮像感度レベルを徐々に上げるので、カメラ１から得られる画像が急激に暗くなるのを防ぎ、鮮明な画像を得ることができる。
【００２９】
なお、本実施の形態では、照明装置２の輝度レベルを徐々に上げ又は下げるために、照明装置２への供給電圧を徐々に上げ又は下げるようにしているが、照明装置２への供給電圧を一定の例えば１００Ｖに固定し、照明装置２内またはカメラ１の光入射側にフィルタ（減光フィルタ）を設け、該フィルタの透過率を徐々に上げ又は下げることにより、被写体に照射される光の輝度レベル（照明装置２の輝度レベル）、あるいは、カメラ１に入射される光量を徐々に上げ又は下げるようにしても良い。また、照明装置２と減光フィルタを組合せても良い。
【図面の簡単な説明】
【００３０】
【図１】本発明に係る監視カメラ装置の実施の形態の構成図である。
【図２】図１における制御装置による照明装置への供給電圧と照明装置の輝度レベルとの関係の一例を示す図である。
【符号の説明】
【００３１】
１：カメラ、２：照明装置、３：制御装置、４：操作器、５：モニタ。
【図１】
2008067156.tif 000003
【図２】
2008067156.tif 000004